(57)【特許請求の範囲】
【請求項１】
トラスに固定され、欄干パネルの下部を保持するパネル保持構造体、
上記欄干パネルからみて踏段とは反対側の位置に配置され、上記欄干パネルの下部に存在する空間を覆う外側デッキボード、
溝が形成され、上記溝の開放部の幅方向両側に位置する一対の縁部を有し、上記溝の開放部を下方に向けて上記外側デッキボードの裏面に固定されているボード固定部材、
上記溝に挿入されて上記一対の縁部を上記パネル保持構造体に押さえる押さえ部と、上記溝の外に配置された取付部と、上記溝の開放部を通して上記押さえ部及び上記取付部間を連結している連結部とを有し、上記押さえ部で上記パネル保持構造体に上記一対の縁部を押さえることにより、上記外側デッキボード及び上記ボード固定部材を上記パネル保持構造体に保持する取付ブラケット、及び
上記押さえ部で上記パネル保持構造体に上記一対の縁部を押さえた状態を保ちながら、上記パネル保持構造体に上記取付部を、上記押さえ部よりも上記踏段に近い位置で着脱可能に固定し、上記欄干パネルの下方の位置に設けられる固定具
を備えている乗客コンベヤの欄干装置。
【請求項２】
トラスに固定され、欄干パネルの下部を保持するパネル保持構造体、
上記欄干パネルからみて踏段とは反対側の位置に配置され、上記欄干パネルの下部に存在する空間を覆う外側デッキボード、
溝が形成され、上記溝の開放部の幅方向両側に位置する一対の縁部を有し、上記溝の開放部を下方に向けて上記外側デッキボードの裏面に固定されているボード固定部材、
上記溝に挿入されて上記一対の縁部を上記パネル保持構造体に押さえる押さえ部と、上記溝の外に配置された取付部と、上記溝の開放部を通して上記押さえ部及び上記取付部間を連結している連結部とを有し、上記押さえ部で上記パネル保持構造体に上記一対の縁部を押さえることにより、上記外側デッキボード及び上記ボード固定部材を上記パネル保持構造体に保持する取付ブラケット、及び
上記押さえ部で上記パネル保持構造体に上記一対の縁部を押さえた状態を保ちながら、上記パネル保持構造体に上記取付部を、上記押さえ部よりも上記踏段に近い位置で着脱可能に固定する固定具
を備え、
上記固定具は、上記パネル保持構造体の下面と上記取付部との間に介在するはさみ板と、上記取付部を上記パネル保持構造体に締結するデッキ用締結具とを有している乗客コンベヤの欄干装置。
【請求項３】
上から見たときの上記押さえ部には、基準方向と、上記基準方向に対して傾斜する傾斜方向とが設定されており、
上記基準方向についての上記押さえ部の寸法は上記一対の縁部間の距離よりも大きくなっており、上記傾斜方向についての上記押さえ部の寸法は上記一対の縁部間の距離よりも小さくなっている請求項１又は請求項２に記載の乗客コンベヤの欄干装置。
【発明の詳細な説明】
【技術分野】
【０００１】
この発明は、例えばエスカレータ又は動く歩道等において移動手摺を支持する乗客コンベヤの欄干装置に関するものである。
【背景技術】
【０００２】
従来、ガラス製の欄干パネルを保持するパネル保持金具をエスカレータのトラスに固定し、トラスの外縁側に配置された外側デッキボードをパネル保持金具にボルトで取り付けたエスカレータの欄干装置が知られている（例えば特許文献１参照）。
【先行技術文献】
【特許文献】
【０００３】
【特許文献１】特開２００３−２６７６５７号公報
【発明の概要】
【発明が解決しようとする課題】
【０００４】
しかし、このような従来のエスカレータの欄干装置では、外側デッキボードの固定ボルトが欄干パネルよりもエスカレータの外側に配置されているので、外側デッキボードの固定ボルトに踏段側から作業者がアクセスしようとしても欄干パネルが邪魔になってしまい、外側デッキボードの固定ボルトを作業者が操作することが困難になってしまう。従って、欄干パネルが設置されている状態で外側デッキボードを踏段側から着脱するためには、欄干パネルを含む欄干装置の大部分を分解しなければならず、外側デッキボードの着脱作業に手間がかかっていた。
【０００５】
この発明は、上記のような課題を解決するためになされたものであり、外側デッキボードの着脱作業を容易にすることができる乗客コンベヤの欄干装置を得ることを目的とする。
【課題を解決するための手段】
【０００６】
この発明に係る乗客コンベヤの欄干装置は、トラスに固定され、欄干パネルの下部を保持するパネル保持構造体、欄干パネルからみて踏段とは反対側の位置に配置され、欄干パネルの下部に存在する空間を覆う外側デッキボード、溝が形成され、溝の開放部の幅方向両側に位置する一対の縁部を有し、溝の開放部を下方に向けて外側デッキボードの裏面に固定されているボード固定部材、溝に挿入されて一対の縁部をパネル保持構造体に押さえる押さえ部と、溝の外に配置された取付部と、溝の開放部を通して押さえ部及び取付部間を連結している連結部とを有し、押さえ部でパネル保持構造体に一対の縁部を押さえることにより、外側デッキボード及びボード固定部材をパネル保持構造体に保持する取付ブラケット、及び押さえ部でパネル保持構造体に一対の縁部を押さえた状態を保ちながら、トラスに固定されたトラス固定部材に取付部を、押さえ部よりも踏段に近い位置で着脱可能に固定する固定具を備えている。
【発明の効果】
【０００７】
この発明に係る乗客コンベヤの欄干装置によれば、欄干パネルを外さずに踏段側から固定具を操作することができる。これにより、パネル保持構造体に対する外側デッキボードの着脱作業を容易に行うことができる。
【図面の簡単な説明】
【０００８】
【図１】この発明の実施の形態１によるエスカレータを示す側面図である。
【図２】図１のＩＩ−ＩＩ線に沿った断面図である。
【図３】図２のＩＩＩ−ＩＩＩ線に沿った断面図である。
【図４】図２のＩＶ−ＩＶ線に沿った断面図である。
【図５】図２の外側デッキボード及びボード固定部材を示す断面図である。
【図６】図２の取付ブラケットを示す正面図である。
【図７】図６の取付ブラケットを示す上面図である。
【図８】図６の取付ブラケットを示す側面図である。
【図９】図６の取付ブラケットを示す斜視図である。
【発明を実施するための形態】
【０００９】
実施の形態１．
図１は、この発明の実施の形態１によるエスカレータを示す側面図である。図において、エスカレータの長手方向に沿って配置されたトラス（主枠）１には、無端状に連結された複数の踏段２が支持されている。各踏段２は、トラス１内に設置された駆動機（図示せず）の駆動力によって循環移動される。
【００１０】
トラス１上には、トラス１の幅方向について対向する一対の欄干装置３が設けられている。各欄干装置３には、各踏段２と同期して移動される移動手摺４がそれぞれ支持されている。移動手摺４は、欄干装置３の外周部に沿って移動される。
【００１１】
欄干装置３は、トラス１の長手方向へ並べられた複数のガラス製の欄干パネル５と、トラス１にトラス固定部材として固定され、欄干パネル５の下部を保持する複数のパネル保持構造体６と、欄干パネル５の下部に存在する空間を覆うデッキ装置７とを有している。
【００１２】
図２は、図１のＩＩ−ＩＩ線に沿った断面図である。また、図３は図２のＩＩＩ−ＩＩＩ線に沿った断面図、図４は図２のＩＶ−ＩＶ線に沿った断面図である。パネル保持構造体６は、トラス１に固定されたトラス固定金具６１と、トラス固定金具６１に固定されたデッキ取付金具６２と、デッキ取付金具６２に固定され、欄干パネル５の下部を保持するパネル保持部６３とを有している。
【００１３】
トラス固定金具６１は、ボルト及びナットを含む締結具６４によってトラス１に固定されている。デッキ取付金具６２は、ねじ及びナットをそれぞれ含む複数（この例では、２つ）の締結具６５によってトラス固定金具６１に固定されている。デッキ取付金具６２の上端部の位置は、トラス固定金具６１の上端部よりも高い位置になっている。
【００１４】
パネル保持部６３は、トラス１の幅方向について、トラス固定金具６１及びデッキ取付金具６２よりも踏段２に近い位置に配置されている。これにより、トラス固定金具６１及びデッキ取付金具６２は、欄干パネル５からみて踏段２とは反対側の位置（即ち、欄干パネル５よりもエスカレータの外側の位置）に配置されている。
【００１５】
パネル保持部６３は、デッキ取付金具６２に固定されたパネル保持部本体６３１と、パネル保持部本体６３１との間で欄干パネル５の下部を把持する楔部材６３２と、楔部材６３２をパネル保持部本体６３１に取り付ける把持用締結具６３３とを有している。
【００１６】
パネル保持部本体６３１は、ボルト及びナットをそれぞれ含む複数の締結具６６によってデッキ取付金具６２に固定されている。把持用締結具６３３は、ボルト及びナットを有している。パネル保持部本体６３１と楔部材６３２との間での欄干パネル５に対する把持力は、把持用締結具６３３のボルト及びナットを締め付けることにより発生する。欄干パネル５は、パネル保持部本体６３１と楔部材６３２との間で欄干パネル５の下部を把持することにより、パネル保持部６３に保持される。この例では、欄干パネル５の下部とパネル保持部６３との間に、欄干パネル５の破損を防止するシートが介在している。
【００１７】
デッキ装置７は、欄干パネル５の踏段２側の位置（即ち、欄干パネル５よりもエスカレータの内側の位置）に配置された内側デッキボード７１と、踏段２の側面に対向し、内側デッキボード７１を支持するスカートガード７２と、欄干パネル５の踏段２と反対側の位置（即ち、欄干パネル５よりもエスカレータの外側の位置）に配置された外側デッキボード７３と、外側デッキボード７３の裏面（即ち、外側デッキボード７３の下面）に固定されて外側デッキボード７３を補強するボード固定部材７４と、外側デッキボード７３及びボード固定部材７４をデッキ取付金具６２に保持するデッキ保持装置７５とを有している。
【００１８】
スカートガード７２は、図示しないスカートガード取付金具を介してトラス１に取り付けられている。内側デッキボード７１は、スカートガード７２の上端部と欄干パネル５の側面とに亘って配置されている。これにより、内側デッキボード７１は、欄干パネル５の下部に存在する空間を覆っている。
【００１９】
外側デッキボード７３は、ボード固定部材７４を介してデッキ取付金具６２の上面に載せられている。これにより、外側デッキボード７３は、欄干パネル５の下部に存在する空間を覆っている。ボード固定部材７４は、トラス１の長手方向に沿って配置されている。なお、内側デッキボード７１及び外側デッキボード７３のそれぞれと欄干パネル５の側面との間の隙間は、パッキン７６によって塞がれている。
【００２０】
ここで、図５は、図２の外側デッキボード７３及びボード固定部材７４を示す断面図である。ボード固定部材７４は、ボード固定部材７４の幅方向について互いに対向する一対の側板部７４１と、一対の側板部７４１の上端部間に連結された上板部７４２と、一対の側板部７４１のそれぞれの下端部から互いに近づく方向へ突出する一対の縁部である下板部７４３とを有している。これにより、ボード固定部材７４の断面形状は、Ｃ字状になっている。
【００２１】
ボード固定部材７４には、一対の側板部７４１、上板部７４２及び一対の下板部７４３によって形成された溝７４４がボード固定部材７４の長手方向に沿って設けられている。一対の下板部７４３は、溝７４４の開放部の幅方向両側に配置されている。これにより、溝７４４の幅方向についての寸法は、溝７４４の内部のほうが溝７４４の開放部よりも大きくなっている。ボード固定部材７４は、溝７４４の開放部を下方に向けた状態で、外側デッキボード７３の裏面に溶接等により固定されている。
【００２２】
デッキ保持装置７５は、図２に示すように、取付ブラケット７７と、取付ブラケット７７をパネル保持構造体６に着脱可能に固定する固定具７８とを有している。
【００２３】
図６は図２の取付ブラケット７７を示す正面図、図７は図６の取付ブラケット７７を示す上面図、図８は図６の取付ブラケット７７を示す側面図である。また、図９は、図６の取付ブラケット７７を示す斜視図である。取付ブラケット７７は、ボード固定部材７４の溝７４４に挿入された板状の押さえ部７７１と、溝７４４の外に配置された板状の取付部７７２と、溝７４４の開放部を通して押さえ部７７１及び取付部７７２間を連結している板状の連結部７７３とを有している。
【００２４】
上から見たときの押さえ部７７１には、図７に示すように、基準方向Ａと、基準方向Ａに対して傾斜する傾斜方向Ｂとが設定されている。基準方向Ａについての押さえ部７７１の寸法Ｌ１は、図５に示す一対の下板部７４３間の距離Ｌ３よりも大きくなっている。また、傾斜方向Ｂについての押さえ部７７１の寸法Ｌ２は、一対の下板部７４３間の距離Ｌ３よりも小さくなっている。この例では、上から見たときの押さえ部７７１の形状が、図７に示すように、長方形の４つの角部のうち、対角の位置にある２つの角部を２本の平行線で切り落とした形状になっている。
【００２５】
押さえ部７７１は、図２に示すように、押さえ部７７１の基準方向Ａを溝７４４の幅方向に一致させた状態で、デッキ取付金具６２に一対の下板部７４３を上から押さえている。外側デッキボード７３及びボード固定部材７４は、一対の下板部７４３が押さえ部７７１でデッキ取付金具６２に押さえられることにより、デッキ取付金具６２に保持される。一方、押さえ部７７１の傾斜方向Ｂを溝７４４の幅方向に一致させると、押さえ部７７１は溝７４４の開放部を通過可能になる。これにより、押さえ部７７１を溝７４４から外すことが可能になる。
【００２６】
取付部７７２は、図８に示すように、押さえ部７７１と平行な面上に配置されている。また、取付部７７２には、長穴であるボルト通し穴７７４が設けられている。この例では、図７に示すように、ボルト通し穴７７４が押さえ部７７１の基準方向Ａに沿って取付部７７２に設けられている。
【００２７】
また、取付部７７２は、図２及び図４に示すように、押さえ部７７１よりも低い位置に配置され、かつ押さえ部７７１よりも踏段２に近い位置にまで達している。さらに、取付部７７２は、パネル保持部本体６３１の下方に配置されている。
【００２８】
連結部７７３は、パネル保持構造体６及び締結具６５を避けて押さえ部７７１と取付部７７２とを連結している。この例では、連結部７７３が、押さえ部７７１の基準方向Ａに沿って配置され、かつ押さえ部７７１及び取付部７７２に対して垂直に配置されている。
【００２９】
固定具７８は、押さえ部７７１よりも踏段２に近い位置で取付部７７２をパネル保持部本体６３１の下面に固定している。この例では、欄干パネル５の下方の位置に固定具７８が設けられている。また、固定具７８は、図２に示すように、パネル保持部本体６３１の下面と取付部７７２との間に介在するはさみ板７８１と、ボルト及びナットを含み、取付部７７２をパネル保持部本体６３１に締結するデッキ用締結具７８２とを有している。
【００３０】
はさみ板７８１は、パネル保持部本体６３１に対する取付部７７２の上方への変位を防止する。これにより、デッキ取付金具６２にボード固定部材７４の一対の下板部７４３を押さえ部７７１で押さえた状態が保たれる。即ち、はさみ板７８１は、押さえ部７７１が一対の下板部７４３から離れる方向へのパネル保持部本体６３１に対する取付部７７２の変位を防止する。
【００３１】
デッキ用締結具７８２は、取付部７７２のボルト通し穴７７４にボルトを通した状態ではさみ板７８１を介して取付部７７２をパネル保持部本体６３１の下面に締結している。パネル保持構造体６に対する取付ブラケット７７の水平方向についての位置は、ボルト通し穴７７４内でのデッキ用締結具７８２のボルトの位置を調整することにより調整される。
【００３２】
パネル保持部本体６３１には、把持用締結具６３３、各締結具６６及びデッキ用締結具７８２のそれぞれのボルトの一部がスライド可能に嵌る複数の嵌合溝６３４が設けられている。嵌合溝６３４の断面形状は、ボルトのうち頭部を含む部分を横から見たときの形状に合わせた形状となっている。把持用締結具６３３、各締結具６６及びデッキ用締結具７８２のそれぞれのボルトは、頭部を含む部分を嵌合溝６３４に嵌め、嵌合溝６３４からねじ部を突出させた状態で、パネル保持部本体６３１に取り付けられている。嵌合溝６３４に嵌められたボルトは、ねじ部を嵌合溝６３４から突出させた状態を保ちながら、嵌合溝６３４をスライド可能になっている。この例では、パネル保持部本体６３１が金属（例えばアルミニウム等）の押出成形体になっており、嵌合溝６３４の長手方向をトラス１の長手方向に一致させてパネル保持部本体６３１が配置されている。
【００３３】
例えば、既設のエスカレータにおいて、外側デッキボード７３が破損したり、外側デッキボード７３を改修したりする場合には、外側デッキボード７３の交換を行う必要がある。外側デッキボード７３の交換作業を行うときには、まず、踏段２側で内側デッキボード７１及びスカートガード７２をデッキ装置７から外す。
【００３４】
この後、踏段２側から、固定具７８のデッキ用締結具７８２のボルト及びナットを緩めて、取付ブラケット７７の取付部７７２をはさみ板７８１とともにパネル保持部本体６３１から外す。
【００３５】
この後、踏段２側から取付ブラケット７７を水平方向へ回して、押さえ部７７１の傾斜方向Ｂをボード固定部材７４の溝７４４の幅方向に一致させた後、溝７４４の開放部を通して押さえ部７７１を溝７４４内から外す。これにより、外側デッキボード７３及びボード固定部材７４のデッキ取付金具６２に対する保持状態が解除される。
【００３６】
この後、外側デッキボード７３の上方から、外側デッキボード７３をボード固定部材７４とともに持ち上げて、外側デッキボード７３及びボード固定部材７４をデッキ装置７から外す。
【００３７】
次に、ボード固定部材７４が裏面に固定された外側デッキボード７３をデッキ取付金具６２に取り付けるときには、まず、外側デッキボード７３の裏面に固定されたボード固定部材７４をデッキ取付金具６２に上方から載せて、欄干パネル５よりもエスカレータの外側の位置に外側デッキボード７３を配置する。
【００３８】
この後、踏段２側からパネル保持部本体６３１の下方の空間に取付ブラケット７７を挿入し、パネル保持部本体６３１の下方からボード固定部材７４の溝７４４の開放部を通して押さえ部７７１を溝７４４内に挿入する。この後、取付ブラケット７７を水平方向へ回して、押さえ部７７１の基準方向Ａを溝７４４の幅方向に一致させる。これにより、押さえ部７７１が一対の下板部７４３に係合することが可能になる。このとき、取付部７７２がパネル保持部本体６３１の下方に配置される。
【００３９】
この後、取付ブラケット７７に対して下方への力を加える。これにより、押さえ部７７１１で一対の下板部７４３がデッキ取付金具６２に押さえられ、外側デッキボード７３及びボード固定部材７４がデッキ取付金具６２に保持される。
【００４０】
この後、踏段２側から、はさみ板７８１をパネル保持部本体６３１の下面と取付部７７２との間に挿入して、パネル保持部本体６３１に対する取付部７７２の上方への変位を防止する。これにより、押さえ部７７１１で一対の下板部７４３がデッキ取付金具６２に押さえられた状態が保たれる。この後、踏段２側から、デッキ用締結具７８２のボルト及びナットで取付部７７２をパネル保持部本体６３１の下面に締結する。これにより、外側デッキボード７３がデッキ取付金具６２に取り付けられる。
【００４１】
この後、スカートガード７２を踏段２の側面に対向させて配置し、内側デッキボード７１を欄干パネル５の下部の側面とスカートガード７２の上端部との間に渡して配置することにより、デッキ装置７が完成する。
【００４２】
このようなエスカレータの欄干装置３では、取付ブラケット７７の押さえ部７７１で一対の下板部７４３をパネル保持構造体６に押さえ、押さえ部７７１よりも踏段２に近い位置で、取付ブラケット７７の取付部７７２をパネル保持構造体６に固定具７８により固定しているので、欄干パネル５を外さずに踏段２側から固定具７８を操作することができる。これにより、パネル保持構造体６に対して外側デッキボード７３を保持する作業、及びパネル保持構造体６に対する外側デッキボード７３の保持を解除する作業を、欄干パネル５を外さずに踏段２側から行うことができ、パネル保持構造体６に対する外側デッキボード７３の着脱作業を容易に行うことができる。
【００４３】
また、固定具７８は、パネル保持構造体６の下面と取付ブラケット７７の取付部７７２との間に介在するはさみ板７８１と、取付部７７２をパネル保持構造体６に締結するデッキ用締結具７８２とを有しているので、ボード固定部材７４の一対の下板部７４３をパネル保持構造体６に押さえ部７７１で押さえている状態をはさみ板７８１によってより確実に保つことができる。これにより、パネル保持構造体６に外側デッキボード７３をより確実に保持させることができる。
【００４４】
また、基準方向Ａについての押さえ部７７１の寸法Ｌ１は一対の下板部７４３間の距離Ｌ３よりも大きくなっており、傾斜方向Ｂについての押さえ部７７１の寸法Ｌ２は一対の下板部７４３の距離Ｌ３よりも小さくなっているので、溝７４４の開放部を通して溝７４４内に挿入された押さえ部７７１の向きを変えるだけで、押さえ部７７１で一対の下板部７４３を押さえることができる。これにより、押さえ部７７１を溝７４４内に挿入すること、及び押さえ部７７１で一対の下板部７４３を押さえることを、踏段２側からでも容易に行うことができ、外側デッキボード７３の着脱作業をさらに容易にすることができる。
【００４５】
なお、上記の例では、はさみ板７８１がパネル保持部本体６３１と取付部７７２との間に介在しているが、はさみ板７８１を介在させずにパネル保持部本体６３１の下面に取付部７７２をデッキ用締結具７８２で締結した状態で、押さえ部７７１で一対の下板部７４３を押さえた状態が保たれるのであれば、はさみ板７８１はなくてもよい。
【００４６】
また、上記の例では、取付部７７２が固定具７８で固定される対象であるトラス固定部材がパネル保持構造体６となっているが、これに限定されず、トラス１に固定されているトラス固定部材のうち、パネル保持構造体６と異なる別のトラス固定部材に、取付部７７２を固定具７８で固定してもよい。
【００４７】
また、上記の例では、この発明がエスカレータの欄干装置に適用されているが、動く歩道の欄干装置にこの発明を適用してもよい。
【符号の説明】
【００４８】
１  トラス、２  踏段、５  欄干パネル、６  パネル保持構造体、７３  外側デッキボード、７４  ボード固定部材、７７  取付ブラケット、７８  固定具、７４３  一対の縁部、７４４  溝、７７１  押さえ部、７７２  取付部、７７３  連結部、７８１  はさみ板、７８２  デッキ用締結具。
【図１】
0006351479.tif 000002
【図２】
0006351479.tif 000003
【図３】
0006351479.tif 000004
【図４】
0006351479.tif 000005
【図５】
0006351479.tif 000006
【図６】
0006351479.tif 000007
【図７】
0006351479.tif 000008
【図８】
0006351479.tif 000009
【図９】
0006351479.tif 000010